(57)【要約】【課題】    圧縮空気を供給することにより、保持、押し上げ、下降する対象物を水平状態で保持、押し上げ、下降させるエアバックと該エアバックを用いたエアジャッキ装置を提供する。【解決手段】    保持、押し上げ、下降する対象物を水平に支持した状態で保持、押し上げ、下降させる上下面がほぼ平行となるように膨らむエアバック３Ａ又は３Ｂであって、該エアバック３Ａの側部から該エアバック３Ａ内中心部９まで空気を供給する空気供給管８Ａを設けるとともに該中心部９から連続した管で放射状に配設した複数の放射管１０に間隔をおいて複数の空気吐出口１１を設けるか、又は該エアバック３Ｂの側部に対向する複数対の空気供給管８Ｂを設け、前記エアバッグ３Ａ又は３Ｂの内部全体に均一に圧縮空気を供給して保持、押し上げ、下降する対象物を水平状態で保持、押し上げ、下降させることを特徴とする。【選択図】  図１
2016141514.tif 000002
【特許請求の範囲】
【請求項１】
保持、押し上げ、下降する対象物を水平に支持した状態で保持、押し上げ、下降させる上下面がほぼ平行となるように膨らむエアバックであって、該エアバックの側部から該エアバック内中心部まで空気を供給する空気供給管を設けるとともに該中心部から連続した管で放射状に配設した複数の放射管に間隔をおいて複数の空気吐出口を設けるか、又は該エアバックの側部に対向する複数対の空気供給管を設け、前記エアバッグの内部全体に均一に圧縮空気を供給して保持、押し上げ、下降する対象物を水平状態で保持、押し上げ、下降させることを特徴とするエアバック。
【請求項２】
保持、押し上げ、下降する対象物を水平に支持した状態で保持、押し上げ、下降させる上記請求項１記載のエアバックを用いたエアジャッキ装置であって、基礎又は底板上に載置する基板と、該基板上に載置する上記請求項１記載のエアバックと、該エアバックを四隅に設けた脚で囲む枠体とを有し、前記基板および枠体は前記エアバックの上下面の膨らみと当接する浅いすり鉢状の凹部を有し、保持、押し上げ、下降する対象物を水平状態で保持、押し上げ、下降させることを特徴とする請求項１記載のエアバッグを用いたエアジャッキ装置。
【請求項３】
浮屋根を含む保持、押し上げ、下降する対象物を水平に支持した状態で保持、押し上げ、下降させる上記請求項２記載のエアバックを用いたエアジャッキ装置であって、該エアジャッキ装置は、上記請求項２記載の枠体の上部に高さ調整用の盤木と、該盤木の上部に垂直の支柱とを載置し、浮屋根を含む保持、押し上げ、下降する対象物を水平状態で保持、押し上げ、下降させることを特徴とする請求項２記載のエアバッグを用いたエアジャッキ装置。
【発明の詳細な説明】
【技術分野】
【０００１】
この発明は、重量物を水平状態で保持、押し上げ、下降するためのエアバックと該エアバックを用いたエアジャッキ装置に関するものである。
【背景技術】
【０００２】
浮屋根式タンクでは、基礎の改修や底板、浮屋根等を取替または補修する工事において
、重量物である浮屋根を所定の高さに押し上げ、支持する際に、エアバックを用いたエアジャッキ装置を使用することがある。
図５は、浮屋根式タンクの浮屋根１をエアバックを用いたエアジャッキ装置で押し上げる場合の事例を示す。底板２上に載置した敷材２ａ上に盤木２３とエアバック２１を載置し、該エアバック２１上に支持材２０ａ、柱部２０ｂ、当接材２０ｃで構成される支柱２０を底板２上面に対して垂直に立設する。次いで、エアバック２１に接続した空気供給管２２からエアバック２１内に圧縮空気を送って膨らませ、支柱２０を介して浮屋根１ａを所望の高さまで押し上げる。
【０００３】
重量物を保持、押し上げ、下降する技術として、例えば、従来例の特許文献１の特許第５４１９００３号公報に開示された「貯槽用ジャッキ装置と浮屋根式貯槽の工事施工法」の発明がある。この発明に係る貯槽用ジャッキ装置は、下端に支持板を有する支持台と、この支持台の上部に取付ける外筒と、この外筒内に設置するジャッキと、このジャッキの上部に取付け、上記外筒内をスライドして上下動する内筒とでジャッキ装置を形成したものである。
【０００４】
特許文献２の特開平０８−２９６３４０号公報「貯蔵タンクの昇降方法」の発明は、
貯蔵タンクのアニュラー板と基礎との間に複数のエアバックと枕木を配置してエアバックを膨張させ、貯蔵タンク全体を押し上げ、降下させる方法である。
【０００５】
特許文献３の特開２０００−２６０７９号公報「空気ジャッキ」の発明は、地面に当接するベース部材と、持ち上げる物体へ当接するリフト部材と、該ベース部材とリフト部材の間に配置された可撓性部材から成るベローとを有する空気ジャッキに関するものである。
【先行技術文献】
【特許文献】
【０００６】
【特許文献１】特許第５４１９００３号公報
【特許文献２】特開平０８−２９６３４０号公報
【特許文献３】特開２０００−２６０７９号公報
【発明の概要】
【発明が解決しようとする課題】
【０００７】
図５に示す事例では、エアバック２１に接続された空気供給管２２から圧縮空気を供給してエアバック２１を膨らませることで浮屋根１の押し上げを実施するが、従来のエアバック２１は、支柱２０の荷重により該エアバック２１の空気供給管２２接続部近傍から膨らみ始める。そのため、エアバック２１上に載置した支柱２０が傾き始め、該支柱２０が転倒しないように作業員が支持する必要が生じ、人手と労力を要す。また、支柱２０が転倒した場合に危険が伴う。
さらに、支柱２０が傾いた状態で浮屋根１を押し上げた場合、当接材２０ｃの角が浮屋根１の下面に当接することで浮屋根１を損傷する可能性もあった。
【０００８】
特許文献１「貯槽用ジャッキ装置と浮屋根式貯槽の工事施工法」の発明は、浮屋根式貯槽の底板取替えや基礎改修時等に、浮屋根を底板上の所定の高さに保持するためのジャッキ装置と工事施工法に関するもので、台車とジャッキ装置を一体化した貯槽専用の油圧式等のジャッキ装置であって、エアバック等の持ち運びが容易な複数の部材を所定の位置まで運搬して組み立てるエアバックを用いたジャッキ装置に関するものではない。
【０００９】
特許文献２の特開平０８−２９６３４０号公報「貯蔵タンクの昇降方法」の発明は、エアバックを用いて貯蔵タンク全体を押し上げ、降下させる方法であって、浮屋根式タンクの浮屋根の押し上げに使用するエアバック本体の構造に関するものではない。  
【００１０】
特許文献３の特開２０００−２６０７９号公報「空気ジャッキ」の発明は、圧縮空気を可撓性ベロー内に形成する気密チャンバへ充填することにより、可撓性ベローを延伸し、車両等の重量物を持ち上げるエアジャッキに関するものであって、該エアジャッキ内に圧縮空気を供給する空気供給管の構造に関するものではない。
【００１１】
この発明の目的は、上述のような従来技術が有する問題点に鑑みてなされたもので、圧縮空気を供給することにより、保持、押し上げ、下降する対象物を水平状態で保持、押し上げ、下降させるエアバックと該エアバックを用いたエアジャッキ装置を提供することにある。
【課題を解決するための手段】
【００１２】
請求項１記載のエアバックは、保持、押し上げ、下降する対象物を水平に支持した状態で保持、押し上げ、下降させる上下面がほぼ平行となるように膨らむエアバックであって、該エアバックの側部から該エアバック内中心部まで空気を供給する空気供給管を設けるとともに該中心部から連続した管で放射状に配設した複数の放射管に間隔をおいて複数の空気吐出口を設けるか、又は該エアバックの側部に対向する複数対の空気供給管を設け、前記エアバッグの内部全体に均一に圧縮空気を供給して保持、押し上げ、下降する対象物を水平状態で保持、押し上げ、下降させることを特徴とする。
【００１３】
請求項２記載のエアバッグを用いたエアジャッキ装置は、保持、押し上げ、下降する対象物を水平に支持した状態で保持、押し上げ、下降させる上記請求項１記載のエアバックを用いたエアジャッキ装置であって、基礎又は底板上に載置する基板と、該基板上に載置する上記請求項１記載のエアバックと、該エアバックを四隅に設けた脚で囲む枠体とを有し、前記基板および枠体は前記エアバックの上下面の膨らみと当接する浅いすり鉢状の凹部を有し、保持、押し上げ、下降する対象物を水平状態で保持、押し上げ、下降させることを特徴とする。
【００１４】
請求項３記載のエアバッグを用いたエアジャッキ装置は、浮屋根を含む保持、押し上げ、下降する対象物を水平に支持した状態で保持、押し上げ、下降させる上記請求項２記載のエアバックを用いたエアジャッキ装置であって、該エアジャッキ装置は、上記請求項２記載の枠体の上部に高さ調整用の盤木と、該盤木の上部に垂直の支柱とを載置し、浮屋根を含む保持、押し上げ、下降する対象物を水平状態で保持、押し上げ、下降させることを特徴とする。
【発明の効果】
【００１５】
請求項１記載のエアバックは、保持、押し上げ、下降する対象物を水平に支持した状態で保持、押し上げ、下降させる上下面がほぼ平行となるように膨らむエアバックであって、該エアバックの側部から該エアバック内中心部まで空気を供給する空気供給管を設けるとともに該中心部から連続した管で放射状に配設した複数の放射管に間隔をおいて複数の空気吐出口を設けるか、又は該エアバックの側部に対向する複数対の空気供給管を設け、前記エアバッグの内部全体に均一に圧縮空気を供給して保持、押し上げ、下降する対象物を水平状態で保持、押し上げ、下降させるので、
空気供給直後から前記エアバック内全体へ均一に圧縮空気が供給されて、該エアバックの上下面がほぼ平行となるように膨らむため、前記対象物を水平状態で安定して保持、押し上げ、下降させることが可能である。
【００１６】
請求項２記載のエアバッグを用いたエアジャッキ装置は、保持、押し上げ、下降する対象物を水平に支持した状態で保持、押し上げ、下降させる上記請求項１記載のエアバックを用いたエアジャッキ装置であって、基礎又は底板上に載置する基板と、該基板上に載置する上記請求項１記載のエアバックと、該エアバックを四隅に設けた脚で囲む枠体とを有し、前記基板および枠体は前記エアバックの上下面の膨らみと当接する浅いすり鉢状の凹部を有し、保持、押し上げ、下降する対象物を水平状態で保持、押し上げ、下降させるので、
エアバックの位置が前記枠体と基板により固定され、膨張時にずれることがなく、前記対象物の保持、押し上げ、下降をより安定して実施することが可能となる。
また、エアバックが十分に膨らみ、上下面が平行でない状態となった場合においても、エアバックの上下面の膨張部が前記枠体と基板の凹部に当接し、エアバック上の枠体上下面の平行な状態が維持されるため、前記対象物を水平状態で保持、押し上げ、下降させることが可能となる。
さらに、エアバック、枠体、基板は容易に積み重ねることが可能であり、対象物の押し上げ、支持高さを容易に調整することが可能である。
【００１７】
請求項３記載のエアバッグを用いたエアジャッキ装置は、浮屋根を含む保持、押し上げ、下降する対象物を水平に支持した状態で保持、押し上げ、下降させる上記請求項２記載のエアバックを用いたエアジャッキ装置であって、該エアジャッキ装置は、上記請求項２記載の枠体の上部に高さ調整用の盤木と、該盤木の上部に垂直の支柱とを載置し、浮屋根を含む保持、押し上げ、下降する対象物を水平状態で保持、押し上げ、下降させるので、
エアバックに圧縮空気を供給して膨張させることにより、エアバック上の枠体が水平状態で押し上がるため、盤木、支柱を介して前記対象物を水平状態で安定して保持、押し上げ、降下させることが可能となる。
また、上記エアジャッキ装置は、エアバックや枠体、支柱等の持ち運びが容易な複数の部材を前記対象物下面の所定の場所まで個々に搬入し、容易に組み立てることが可能で、取付け、取外しの作業も容易であり、従来の油圧式等のジャッキ装置を使用する場合と比較して浮屋根を押し上げる作業に手間と人手を要することがない。
【図面の簡単な説明】
【００１８】
【図１】エアバック本体の構造の第１事例を示す説明図である。
【図２】エアバック本体の構造の第２事例を示す説明図である。
【図３】エアバックを用いたエアジャッキ装置の事例を示す説明図である。
【図４】エアバックを用いたエアジャッキ装置で浮屋根式タンクの浮屋根を押し上げる事例を示す説明図である。
【図５】従来のエアバックを用いたエアジャッキ装置で浮屋根式タンクの浮屋根を押し上げる事例を示す説明図である。
【発明を実施するための形態】
【００１９】
この発明に係るエアバッグと該エアバッグを用いたエアジャッキ装置の実施形態を、図１乃至図４に基づいて説明する。
図１は、保持、押し上げ、下降する対象物（以下対象物と称す）を水平状態で保持、押し上げ、下降させる上下面がほぼ平行となるように膨らむエアバック本体の構造の第１事例を説明する図で、エアバックに圧縮空気を供給している状況を示す。
３Ａはエアバック、８Ａは空気供給管、９はエアバック３Ａ内中心部、１０は放射管、１１は空気吐出口である。
エアバック３Ａは、合成樹脂製のシートやゴム引き布等から作られた袋状体であり、側部に接続した空気供給管８Ａを通して内部に圧縮空気を供給または排出することで膨張または収縮することが可能なものとする。
空気供給管８Ａは、エアバック３Ａの側部（四隅を含む）に１本設ける。図１は、空気供給管８Ａをエアバック３Ａ側部に１本設ける事例であるが、必要に応じて複数本の空気供給管８Ａをエアバック３Ａの側部に設けても良い。
空気供給管８Ａによってエアバック３Ａ内に供給された圧縮空気は、エアバック３Ａ内中心部９に向けて供給され、該中心部９と連続した管で放射状に配設した複数の放射管１０に向かって流れる。放射管１０に流れた圧縮空気は、各放射管１０に間隔をおいて設けられた複数の空気吐出口１１から噴出し、エアバック３Ａの内部全体に均一に供給される。
【００２０】
図２は、対象物を水平状態で保持、押し上げ、下降させる上下面がほぼ平行となるように膨らむエアバック本体の構造の第２事例を説明する図で、エアバックに圧縮空気を供給している状況を示す。
３Ｂはエアバック、８Ｂは空気供給管である。
エアバック３Ｂは、合成樹脂製のシートやゴム引き布等から作られた袋状体であり、側部に接続した空気供給管８Ｂを通して内部に圧縮空気を供給または排出することで膨張または収縮することが可能なものとする。
空気供給管８Ｂは、エアバック３Ｂ側部の対向する部位に複数対設ける。図２は、空気供給管８Ｂをエアバック３Ｂの側部の四隅に合計４本設けた事例であるが、必要に応じてそれ以上の対の空気供給管８Ｂを設けても良い。
【００２１】
エアバック３Ａまたは３Ｂは、空気供給直後から前記エアバック３Ａまたは３Ｂ内全体へ均一に圧縮空気が供給されて、上下面がほぼ平行となるように膨らむため、対象物と基礎等との間に設けて保持、押し上げ、下降する際に、対象物を水平状態で安定して保持、押し上げ、下降させることが可能である。
【００２２】
図３は、エアバック３（３Ａ、３Ｂ）を用いたエアジャッキ装置の事例を示す説明図である。図３は、空気供給管８Ａが１本接続されたエアバック３Ａを用いたエアジャッキ装置の事例を示す。また、図３のＸ-Ｘ断面図は、左図をＸ-Ｘ線上で切断した際の断面を示す図である。
Ｘ-Ｘ断面図の（ａ）は、底板２または基礎１２上に載置した基板５の上にエアバック３（３Ａ、３Ｂ）を載置し、該エアバック３（３Ａ、３Ｂ）を四隅に設けた脚を有す枠体４で囲む状況を示す。枠体４の脚の高さは、萎んだエアバック３（３Ａ、３Ｂ）の高さよりも大きくし、萎んだエアバック３（３Ａ、３Ｂ）上に枠体４を載置した際に、エアバック３（３Ａ、３Ｂ）と枠体４との間に空間１３が形成されるようにする。
Ｘ-Ｘ断面図の（ｂ）は、空気供給管８（８Ａ、８Ｂ）からエアバック３（３Ａ、３Ｂ）内へ圧縮空気を送り、エアバック３（３Ａ、３Ｂ）を膨らませて枠体４を押し上げ、対象物を支持する際の状況を示す。
前記基板５および枠体４は、鋼材やゴム等の種々の材料で形成され、浅いすり鉢状の凹部１４を有しており、該凹部１４は、エアバック３（３Ａ、３Ｂ）が十分に膨張した際にエアバック上下面の膨らみと当接する寸法とする。また、該凹部１４は、枠体４または基板５を貫通させずに形成し、エアバック３（３Ａ、３Ｂ）が膨張した際に、対象物あるいは底板２や基礎１２と接触しない形状とするのが好ましいが、エアジャッキ装置の機能上問題がなければ、凹部１４を枠体４または基板５を貫通するように形成しても良い。
上記エアジャッキ装置は、エアバック３（３Ａ、３Ｂ）の位置を前記枠体４と基板５により固定するため、エアバック３（３Ａ、３Ｂ）の位置が膨張時にずれることがなく、より安定して対象物を保持、押し上げ、下降させることが可能である。
また、エアバック３（３Ａ、３Ｂ）が十分に膨らみ、上下面が平行でない状態となった場合においても、エアバック３（３Ａ、３Ｂ）上下面の膨張部が前記枠体４と基板５の凹部１４に当接し、エアバック３（３Ａ、３Ｂ）上の枠体４上下面の平行な状態が維持されるため、対象物を水平状態で保持、押し上げ、下降させることが可能である。
さらに、エアバック３（３Ａ、３Ｂ）、枠体４、基板５は容易に積み重ねることが可能であり、対象物の押し上げ、支持高さを容易に調整することが可能である。
【００２３】
対象物が大型の場合は、複数の上記エアバック３（３Ａ、３Ｂ）やエアジャッキ装置を対象物と基礎１２や底板２等との間に設置し、個々の位置のエアバック３（３Ａ、３Ｂ）に圧縮空気を供給または排出して膨張または収縮させて、基礎の勾配等を考慮してエアバック３（３Ａ、３Ｂ）毎に対象物を押し上げまたは下降して、対象物全体を適切な高さに保持する。
【００２４】
図４は、浮屋根式タンクの浮屋根をエアバック３（３Ａ、３Ｂ）を用いたエアジャッキ装置で押し上げる事例を説明する図で、エアジャッキ装置のエアバック３（３Ａ、３Ｂ）を膨張させて浮屋根を押し上げ、支持している状況を示す。また、図４は、空気供給管８Ａが１本接続されたエアバック３Ａを用いたエアジャッキ装置の事例を示す。
１は浮屋根、２は底板、３（３Ａ、３Ｂ）はエアバック、４は枠体、５はエアバック３および枠体４の基板、６は盤木、７は支柱、８（８Ａ、８Ｂ）は空気供給管である。なお図４は、支柱７を支持材７ａ、柱部７ｂ、当接材７ｃで構成しているが、支柱７は種々の形状、機能を有すものを使用することが可能である。
浮屋根１の押し上げは、底板２上に載置した基板５の上にエアバック３（３Ａ、３Ｂ）を載置し、エアバック３（３Ａ、３Ｂ）を囲うように枠体４を設け、次いで高さ調節用の盤木６を敷き、その盤木６の上に支柱７を底板２上面に対して垂直に立設する。続いて、空気供給管８（８Ａ、８Ｂ）からエアバック３（３Ａ、３Ｂ）内へ圧縮空気を送って膨らませ、枠体４、盤木６、支柱７を介して浮屋根１を押し上げる。
なお、底板２上に基板５、エアバック３（３Ａ、３Ｂ）、枠体４、支柱７を設置した際に浮屋根１を押し上げ、支持する高さが十分に確保できれば、盤木６は設置しなくても良い。
浮屋根補修工事の際は、デッキサポート（図示せず）近傍の必要箇所に上記エアジャッキ装置を設置し、浮屋根１を押し上げ、支持し、デッキサポートや底板２の取替え、基礎の改修、浮屋根１の補修等を実施する。また、浮屋根１の荷重を一時的に支持する仮支持材（図示せず）を必要に応じて設置する。
上記浮屋根１のエアジャッキ装置は、エアバック３（３Ａ、３Ｂ）に圧縮空気を供給して膨張させると、エアバック３（３Ａ、３Ｂ）上の枠体４が水平状態で押し上がるため、盤木６、支柱７を介して浮屋根１を水平状態で安定して保持、押し上げ、下降させることが可能である。
また、上記浮屋根１のエアジャッキ装置は、エアバック３（３Ａ、３Ｂ）の位置が前記枠体４と基板５により固定されるため、エアバック３（３Ａ、３Ｂ）の位置が膨張時にずれることがなく、より安定して浮屋根１を保持、押し上げ、下降させることが可能である。
さらに、上記浮屋根１のエアジャッキ装置は、エアバック３や枠体４、支柱７等の持ち運びが容易な複数の部材を浮屋根１下面の所定の場所まで個々に搬入し、容易に組み立てることが可能で、取付け、取外しの作業も容易であり、従来の油圧式等のジャッキ装置を使用する場合と比較して浮屋根１を押し上げる作業に手間と人手を要することがない。
さらにまた、上記浮屋根１のエアジャッキ装置は、エアバック３、枠体４、基板５を複数段積み重ねることにより、容易に浮屋根１の押し上げ、支持高さを調整することが可能である。
【００２５】
図３および図４のエアジャッキ装置は、対象物押し上げ時の安定性を向上させるために、図１のエアバック３Ａまたは図２のエアバック３Ｂを使用することが好ましいが、従来のエアバックを使用することも可能である。
従来のエアバックを重量物の保持、押し上げ、下降に使用すると、上部に載置した対象物の荷重により、空気供給管近傍部から膨らみ、対象物の押し上げ、支持が不安定になる問題があった。図３および図４のエアジャッキ装置は、四隅に脚を有す枠体４で萎んだエアバックを囲み、該エアバックと枠体４との間に空間１３を形成するため、エアバックが空気供給直後から対象物の荷重の影響を受けずに膨張し、該エアバックが十分に膨張した段階で枠体４を介して水平状態で対象物を押し上げ、支持することが可能である。
したがって、従来のエアバックを本発明のエアジャッキ装置に使用した場合においても、安定して対象物を押し上げ、支持することが可能である。
【産業上の利用可能性】
【００２６】
この発明に係るエアバッグと該エアバッグを用いたエアジャッキ装置は、浮屋根式タンクの浮屋根を含む種々の構築物の保持、押し上げ、下降に広く適用することが可能である。
【符号の説明】
【００２７】
１  浮屋根
２  底板
２ａ 敷材
３    エアバック
３Ａ  エアバック
３Ｂ  エアバック
４  枠体
５  エアバック３および枠体４の基板
６  盤木
７  支柱
７ａ  支柱の支持材
７ｂ  柱部
７ｃ  支柱の当接材
８  空気供給管
８Ａ  エアバック３Ａに接続する空気供給管
８Ｂ  エアバック３Ｂに接続する空気供給管
９  エアバック内中心部
１０  放射管
１１  空気吐出口
１２  基礎
１３  空間
１４  凹部
２０  支柱
２０ａ  支柱の支持材
２０ｂ  柱部
２０ｃ  支柱の当接材
２１  エアバック
２２  空気供給管
２３  盤木
【図１】
2016141514.tif 000003
【図２】
2016141514.tif 000004
【図３】
2016141514.tif 000005
【図４】
2016141514.tif 000006
【図５】
2016141514.tif 000007